(57)【要約】【課題】浴室と洗面室との広さの配分を使用者の要望に応じて現場で簡単に変えることができる。浴室と洗面室との広さの配分を変えても浴室内において間仕切壁の立設位置付近に水が滞留したり洗面室側に流れ出さない。【解決手段】浴室１と洗面室２とを備えた浴室・洗面ユニット３である。浴室側床パン部４と洗面室側床パン部５とを境界エリア用床パン部６を介して一体に連続して浴室・洗面ユニット用床パン７を形成する。浴室側床パン部４の上面を洗面室側床パン部５の上面よりもレベルを低くする。境界エリア用床パン部６の上面を洗面室側床パン部５側から浴室側床パン部４側にかけての一方向にのみ下り傾斜する傾斜面８とする。境界エリア用床パン部６の巾方向の任意の位置に巾方向と直交するように仕切る間仕切り壁９を立設して浴室１と洗面室２とに仕切る。【選択図】        図１
2004316194.tif 000002
【特許請求の範囲】
【請求項１】
浴室と洗面室とを備えた浴室・洗面ユニットにおいて、浴室側床パン部と洗面室側床パン部とを境界エリア用床パン部を介して一体に連続して浴室・洗面ユニット用床パンを形成し、浴室側床パン部の上面を洗面室側床パン部の上面よりもレベルを低くし、境界エリア用床パン部の上面を洗面室側床パン部側から浴室側床パン部側にかけての一方向にのみ下り傾斜する傾斜面とし、該境界エリア用床パン部の巾方向の任意の位置に巾方向と直交するように仕切る間仕切り壁を立設して浴室と洗面室とに仕切って成ることを特徴とする浴室・洗面室ユニット。
【請求項２】
境界エリア用床パン部の傾斜面と間仕切り壁の下端面との間又は間仕切り壁の上端面と天井パネルの下面との間にスペーサを介在させることを特徴とする浴室・洗面室ユニット。
【発明の詳細な説明】
【０００１】
【発明の属する技術分野】
本発明は、浴室と洗面室とを一体とした浴室・洗面室ユニットに関するものである。
【０００２】
【従来の技術】
従来から浴室と洗面室とを一体とした浴室・洗面室ユニットが知られている。
（例えば、特許文献１参照）
上記の特許文献１に示された従来例は、洗い場の床と洗面室側の床とのあいだの床に排水溝を設け、この排水溝の上にカーテンを設けて浴室と洗面室とを仕切るようにしている。
【０００３】
また、洗い場の床と洗面室とを仕切るのにカーテンではなく間仕切り壁で仕切るものも知られている。（例えば、特許文献２参照）
しかしながら、いずれの従来例においても、カーテンや間仕切壁の設置位置はあらかじめ設定された位置であり、浴室と洗面室との広さの配分を使用者の要望に応じて変えることはできなかった。
【０００４】
【特許文献１】
特開２００１−９０３６２号公報
【特許文献２】
特開平１１−２２３２６号公報
【０００５】
【発明が解決しようとする課題】
本発明は上記の点に鑑みてなされたものであり、浴室と洗面室との広さの配分を使用者の要望に応じて現場で簡単に変えることができ、また、浴室と洗面室との広さの配分を変えても浴室内において間仕切壁の立設位置付近に水が滞留したり洗面室側に流れ出さないようにできる浴室・洗面室ユニットを提供することを課題とするものである。
【０００６】
【課題を解決するための手段】
上記課題を解決するために本発明に係る浴室・洗面室ユニットは、浴室１と洗面室２とを備えた浴室・洗面ユニット３において、浴室側床パン部４と洗面室側床パン部５とを境界エリア用床パン部６を介して一体に連続して浴室・洗面ユニット用床パン７を形成し、浴室側床パン部４の上面を洗面室側床パン部５の上面よりもレベルを低くし、境界エリア用床パン部６の上面を洗面室側床パン部５側から浴室側床パン部４側にかけての一方向にのみ下り傾斜する傾斜面８とし、該境界エリア用床パン部６の巾方向の任意の位置に巾方向と直交するように仕切る間仕切り壁９を立設して浴室１と洗面室２とに仕切って成ることを特徴とするものである。
【０００７】
このような構成とすることで、現場で浴室・洗面ユニット用床パン７の境界エリア用床パン部６の巾方向における間仕切り壁９を立設する位置を選択することで、浴室１と洗面室２との広さの配分を使用者の要望に応じて自由に変えることができるものであり、しかも、境界エリア用床パン部６の巾方向のどの位置に間仕切り壁９を立設しても、間仕切り壁９を立設する境界エリア用床パン部６が浴室側床パン部５側に向けて一方向にのみ下り傾斜しているので、浴室１内において境界エリア用床パン部６に水が流れても、傾斜面８に沿ってスムーズに浴室側床パン部５側に排水できるものである。
【０００８】
また、境界エリア用床パン部６の傾斜面８と間仕切り壁９の下端面との間又は間仕切り壁９の上端面と天井パネル１０の下面との間にスペーサ１１を介在させることが好ましい。
【０００９】
このような構成とすることで、スペーサ１１により間仕切り壁９の立設部分における上下寸法調整ができて、傾斜面８の巾方向の任意の位置に間仕切り壁９を立設した際に隙間が生じないようにできるものである。
【００１０】
【発明の実施の形態】
以下、本発明を添付図面に示す実施形態に基づいて説明する。
【００１１】
浴室・洗面室ユニット３は、浴室・洗面ユニット用床パン７と、壁パネル１２と、間仕切りパネル９と、天井パネル１０とを組み立てて構成されるもので、間仕切りパネル９で内部空間を間仕切りすることで内部を浴室１と洗面室２とに間仕切りしてある。
【００１２】
浴室・洗面ユニット用床パン７はＦＲＰなどで一体に形成された床パンであって、片側半部が浴室側床パン部４となり、他の片側半部が洗面室側床パン部５となり、中間部が浴室側床パン部４と洗面室側床パン部５とを一体に連続するための境界エリア用床パン部６となっている。
【００１３】
ここで、浴室側床パン部４の上面のレベルを洗面室側床パン部５の上面のレベルよりも低くしてあり、浴室側床パン部４と洗面室側床パン部５との間に位置する境界エリア用床パン部６の上面が洗面室側床パン部５側から浴室側床パン部４側にかけての一方向（図１の矢印イ方向）にのみ下り傾斜する傾斜面８となっており、該傾斜面８の最もレベルが高い箇所である洗面室側床パン部５側の端縁のレベルが洗面室側床パン部５の端縁部と同一レベルとなって連続しており、また、傾斜面８の最もレベルが低い箇所である浴室側床パン部４側の端縁のレベルが浴室側床パン部４の端縁部と同一レベルとなって連続している。
【００１４】
浴室側床パン部４には排水孔１４が設けてあり、浴室側床パン部４の上面を複数区域（図１においては仮想線ａ、ｂにより３区域ｃ、ｄ、ｅ）に区分けし、各区域を図１において矢印ロ、ハ、ニの各方向に向けて排水孔１４側ほど下となるように下り傾斜させてある。
【００１５】
浴室・洗面室ユニット３は、前述のように、浴室・洗面ユニット用床パン７と、壁パネル１２と、間仕切りパネル９と、天井パネル１０とを組み立てて構成するのであるが、本発明においては、間仕切りパネル９を境界エリア用床パン部６の巾方向（浴室側床パン部４から洗面室側床パン部５に至る方向を境界エリア用床パン部６の巾方向と定義する）の任意の位置に巾方向と直交するように仕切る間仕切りパネル９を立設することで、間仕切りパネル９により浴室１と洗面室２とに仕切るものである。
【００１６】
間仕切りパネル９を立設するに当たっては、図３に示すように、境界エリア用床パン部６の巾方向の任意の位置に巾方向と直交する方向に複数の下取付け具１５の下部のねじ部１６をそれぞれ任意間隔でねじ込み固着し、更に、境界エリア用床パン部６の巾方向と直交する方向において対向する壁パネル１２にそれぞれ係止金具１７を上下方向に一列に取付ける。ここで、一列に取付けた下取付け具１５と一列に取付けた係止金具１７とは同一垂直面上に位置している。
【００１７】
間仕切りパネル９の下端面部には一列に複数の嵌合孔１８が設けてあり、間仕切りパネル９の側端面部には複数の係止孔部１９が上下方向に一列に設けてある（図４の実施形態では間仕切りパネル９が２枚立設されるので、間仕切りパネル９の一側端面部にのみ係止孔部１９が設けてある）。
【００１８】
間仕切りパネル９は側面部の係止孔部１９を一方の壁パネル１２に設けた係止金具１７に係止すると共に下端面部の嵌合孔１８を下取付け具１５の上部のダボ部２０に嵌め込むことで立設する。同様にして別の間仕切りパネル９の側面部の係止孔部１９を上記一方の壁パネル１２と対向する他方の壁パネル１２に設けた係止金具１７に係止すると共に下端面部の嵌合孔１８を下取付け具１５の上部のダボ部２０に嵌め込むことで立設する。このようにして立設した両間仕切りパネル９の隣接する側端面部同士を固着具により連結固着する。ここで、間仕切りパネル９のうち一つの間仕切りパネル９は出入り用の開口部２１が形成してあり、この出入り用の開口部２１には開閉自在な扉２２やカーテン等が取付けられる。なお、開口部２１を有する間仕切りパネル９としては開口枠自体であってもよい。
【００１９】
このように、本発明においては、現場において浴室・洗面ユニット用床パン７の境界エリア用床パン部６の巾方向において図１のＡの範囲で間仕切り壁９を立設する位置を選択できるので、使用者の要望に応じて浴室１と洗面室２との広さの配分を自由に変えることができることになる。
【００２０】
ここで、上記のように境界エリア用床パン部６の巾方向のいずれの位置に間仕切り壁９を立設したとしても、境界エリア用床パン部６の上面が浴室側床パン部５側に向けて一方向にのみ下り傾斜した傾斜面８となっているので、浴室１内において境界エリア用床パン部６に水が流れても、傾斜面８に沿ってスムーズに浴室側床パン部５側に排水できるものである。
【００２１】
ところで、本発明のように境界エリア用床パン部６の上面である傾斜面８の巾方向の任意の位置に上記のようにして間仕切りパネル９を立設した場合、境界エリア用床パン部６の上面の間仕切りパネル９を立設した位置により天井パネル１０までの高さが異なることになる。そこで、本発明においては、図５に示すように、境界エリア用床パン部６の傾斜面８と間仕切り壁９の下端面との間又は間仕切り壁９の上端面と天井パネル１０の下面との間にスペーサ１１を介在させることで、間仕切りパネル９を傾斜面８の巾方向のどこに立設しても上下方向において隙間が生じないようにしている。また、スペーサ１１を介在させて間仕切り壁９を立設した後、間仕切り壁９の下端と境界エリア用床パン部６上面とのなすコーナ部分、間仕切り壁９の下端と天井パネル１０の下面とのなすコーナ部分にはコーキング材２３を充填するものである。
【００２２】
なお、浴室側床パン部４には浴槽２４が設置され、また洗面室２には洗面ボール、洗面台等の洗面設備２５が設置される。また、浴室・洗面ユニット用床パン７の周囲に沿って立設する複数の壁パネル１２のうち洗面室２に位置する壁パネル１２の一部はドア枠パネルにより構成してあり、ドア枠パネルにはドアが開閉自在に取付けられるものである。
【００２３】
【発明の効果】
上記のように本発明の請求項１記載の発明にあっては、浴室側床パン部の上面を洗面室側床パン部の上面よりもレベルを低くし、境界エリア用床パン部の上面を洗面室側床パン部側から浴室側床パン部側にかけての一方向にのみ下り傾斜する傾斜面とし、該境界エリア用床パン部の巾方向の任意の位置に巾方向と直交するように仕切る間仕切り壁を立設して浴室と洗面室とに仕切ってあるので、間仕切りパネルの立設位置を境界エリア用床パン部の巾方向において任意に選択することで、簡単な構成で浴室と洗面室との広さの配分を使用者の要望に応じて現場で簡単に変えることができるものであり、また、浴室と洗面室との広さの配分を変えても浴室内において間仕切壁の立設位置付近に水を傾斜面によって浴室側床パン部の方に流すことができて間仕切壁の立設位置付近に水が滞留したり洗面室側に流れ出さないようにできるものである。
【００２４】
また、請求項２記載の発明にあっては、上記請求項１記載の発明の効果に加えて、境界エリア用床パン部の傾斜面と間仕切り壁の下端面との間又は間仕切り壁の上端面と天井パネルの下面との間にスペーサを介在させるので、スペーサにより間仕切り壁の立設部分における上下寸法調整ができて、傾斜面の巾方向の任意の位置に間仕切り壁を立設した際に隙間が生じることがなく、簡単な構成で間仕切りパネルの立設部分の収まりが良くなるものである。
【図面の簡単な説明】
【図１】本発明の一実施形態の平断面図である。
【図２】同上の浴室・洗面ユニット用床パンの縦断面図である。
【図３】同上の間仕切りパネルを立設する状態を示す説明図である。
【図４】同上の間仕切りパネルを立設した部分の斜視図である。
【図５】同上の間仕切りパネルを立設した部分の縦断面図である。
【符号の説明】
１  浴室
２  洗面室
３  浴室・洗面ユニット
４  浴室側床パン部
５  洗面室側床パン部
６  境界エリア用床パン部
７  浴室・洗面ユニット用床パン
８  傾斜面
９  間仕切り壁
１０  天井パネル
１１  スペーサ
【図１】
2004316194.tif 000003
【図２】
2004316194.tif 000004
【図３】
2004316194.tif 000005
【図４】
2004316194.tif 000006
【図５】
2004316194.tif 000007